Podtech/llm-jp-corpus-v4-ja_patent huggingface dataset:
【手続補正書】
【提出日】平成21年4月28日(2009.4.28)
【手続補正１】
【補正対象書類名】明細書
【補正対象項目名】０００６
【補正方法】変更
【補正の内容】
【０００６】
しかしながら、運転条件の設定時に所定の吸引量を確保しようとする場合、図９のＩＨに示すように、高速回転で吸引を行うと、吸引圧の上昇カーブＩＨが急峻な系となってしまい、吸引圧が過度に上昇し、インク流速の上昇を招くことがある。インクタンクの単位時間あたりのインク供給能力には上限があり、インク流速がその上限を超えてしまうとインクを供給しきれず、インクジェットヘッドのインク流路内に気泡を取り込んでしまうことがある。
【手続補正２】
【補正対象書類名】明細書
【補正対象項目名】０００７
【補正方法】変更
【補正の内容】
【０００７】
この現象は、図１０に示すような多色インク用に複数のインク流路をもつヘッド５０において、吐出口までの各色のインク流路長の差が大きくなると発生することがある。一般に、流れの抵抗は流路長さに比例するので、それぞれのノズルの吐出口径が等しい場合には、流路長が長いほど流れの抵抗となる圧力損失が大きくなって吸引し難く、短い流路のほうが吸引し易い。すなわち、図１１に示すように、短い流路（負圧曲線：ＩＬｍｉｎ）で気泡が抜けた後も、長い流路（負圧曲線：ＩＬｍａｘ）で気泡を取り終える時間ｔＬｍａｘまで負圧をかけて吸引し続けなければならない。このとき、短い流路では長い流路に比べて抵抗が小さいので、負圧曲線が急速に立ち上がる。これにより、短い流路では流路内に気泡を取り込むようなインク供給不良を発生させる吸引圧ＰＴ以上にまで吸引圧(ＰＬｍｉｎ)が上昇してしまう。
【手続補正３】
【補正対象書類名】明細書
【補正対象項目名】０００８
【補正方法】変更
【補正の内容】
【０００８】
このような場合、特許文献１で提案されている方法がある。これは、チューブポンプを連続回転して、インク供給不良が発生しない負圧Ｐｃにした後、駆動／停止を複数回繰り返すことで、目標負圧近傍内に維持したまま気泡を取り切るまで吸引を続けるという方法である。図１１に、このときの負圧曲線ＩＰｃを示す。
【手続補正４】
【補正対象書類名】明細書
【補正対象項目名】００１０
【補正方法】変更
【補正の内容】
【００１０】
現在開発が行われているインクジェットヘッドにおいては、印字の高精細化／高速化を実現するために、図１２に示すように、同一のインク流路７０にインク吐出口径の異なる大・小ノズルが配列されているものがある。このようなヘッドの吸引回復においては、吐出口径の小さいノズル部７２でのメニスカス力が吐出口径の大きいノズル部（以下大ノズルと呼ぶ）７１よりも大きい。そのため、大ノズル７１からインクを吸引する際の目標負圧（ＰＦ）よりさらに高い目標負圧（ＰＮ）が必要となる。これらの吐出口径の異なるノズルに対して一回のキャッピングによって吸引を行う際には、図９の負圧曲線ＩＨに示すように、小ノズルからインクを吸引するために吸引圧を急峻に上げて吸引を行うことが考えられる。このとき、大ノズルではインク流速がインク供給能力を超えてしまい、インク流路内に気泡を取り込んでしまうようなインク供給不良になる恐れがある。また、負圧曲線ＩＬに示す吸引圧を急峻に上げずに吸引する場合は、吸引され易い大ノズルからインク流路内を充填された後も、小ノズルの充填に必要な目標負圧になるまで吸引を続けるため、無駄なインクが増大する。
【手続補正５】
【補正対象書類名】明細書
【補正対象項目名】００１１
【補正方法】変更
【補正の内容】
【００１１】
このような吐出口径の異なるノズルに対して一回のキャッピングによってインクの吸引を行う場合には、特許文献２で提案されている方法がある。この方法では、まず、小さい吸引圧でインク流路及び大ノズルで吸引、インク充填を行った後、残りの小ノズルを瞬間的に高い吸引圧で吸引するという吸引圧を２段階に設定する。このような吸引回復での負圧曲線を、図９のＩＦＮに示す。
【手続補正６】
【補正対象書類名】明細書
【補正対象項目名】００１６
【補正方法】変更
【補正の内容】
【００１６】
従って、吸引動作としては、急激にインク流速を上昇させず、キャップ内が低い目標負圧となるように、低速回転で吸引することが望ましいとされる。また、図１４の負圧曲線ＩＬに示しているように、低速回転では、キャップ内は飽和圧Ｐｓａｔに到達し易いため、吸引圧を上げることなく、容積の大きいインク流路及び大ノズルの吸引、インク充填を行う吸引動作としては有効である。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
軟骨細胞を細胞非含有構成要素にin vitroで付着させるための方法であって、
細胞非含有構成要素と軟骨細胞を含む細胞培養培地とを提供するステップと、
前記細胞非含有構成要素を、前記細胞非含有構成要素の多孔性表面全体に分散させた前記細胞培養培地とインキュベーションするステップ
とを含み、
ここで、
前記細胞非含有構成要素が、多孔性表面と高密度表面とを有する二層膜を含み、
前記軟骨細胞が、前記多孔性表面に付着する、
前記方法。
【請求項２】
前記細胞非含有構成要素がコラーゲンマトリックスである請求項１に記載の方法。
【請求項３】
前記コラーゲンマトリックスがＩ型及びＩＩＩ型コラーゲンからなる、請求項２に記載の方法。
【請求項４】
前記コラーゲンマトリックスがＩＩ型コラーゲンからなる、請求項２に記載の方法。
【請求項５】
前記コラーゲンマトリックスがＩ型コラーゲンからなる、請求項２に記載の方法。
【請求項６】
前記細胞非含有構成要素またはコラーゲンマトリックスが再吸収性である、請求項１〜５のいずれか１項に記載の方法。
【請求項７】
前記軟骨細胞が、自己軟骨細胞、同種軟骨細胞、または異種軟骨細胞である請求項１〜６のいずれか１項に記載の方法。
【請求項８】
前記細胞非含有構成要素に生体適合性の接着剤を適用するステップをさらに含む、請求項１〜７のいずれか１項に記載の方法。
【請求項９】
前記構成要素が関節軟骨欠損内に配置するのに適している、請求項１〜８のいずれか１項に記載の方法。
【手続補正書】
【提出日】平成21年10月8日(2009.10.8)
【手続補正１】
【補正対象書類名】明細書
【補正対象項目名】００３９
【補正方法】変更
【補正の内容】
【００３９】
図１３，１４，１５，１６は、体液吸収部３０の部分破断斜視図と、その斜視図のＸＩＶ−ＸＩＶ線切断面を示す図と、ＸＶ−ＸＶ線切断面を示す図と、ＸＶＩ−ＸＶＩ線切断面を示す図である。体液吸収部３０の両側に形成された一対の防漏堤４８は、不織布、より好ましくは難透液性の不織布、さらに好ましくは不透液性の不織布をＺ字型および逆Ｚ字型に折り畳むことにより形成されていて、前後両端部がホットメルト接着剤４９を介して本体部分４７の内面に固定されている。これら図１４〜１６に示されているように、本体部分４７では、体液吸収性の芯材４が透液性のトップシート５２と不透液性のバックシート５３とによってサンドウィッチされている。トップシート５２とバックシート５３とは、芯材４の周縁から延出する部分において重なり合い接着または溶着によって互いに接合している。Ｚ字型または逆Ｚ字型に折り畳まれている防漏堤４８は、底辺４８ａと頂辺４８ｃとこれら両辺４８ａ，４８ｃをつなぐ中間辺４８ｂとを有し、底辺４８ａがホットメルト接着剤５６を介してバックシート５３に接合している。図１４においては、中間辺４８ｂがホットメルト接着剤５６を介してトップシート５２に接合し、頂辺４８ｃがホットメルト接着剤５６を介して中間辺４８ｂに接合している。図１５においては、防漏堤４８の底辺４８ａがバックシート５３に接合していて、中間辺４８ｂと頂辺４８ｃとが仮想線の矢印Ｐで示される方向へ起立できるように折り畳まれている。図１６においては、トップシート５２の上面にセパレータ２０が重なっており、そのセパレータ２０の側縁部２３が前後方向中心線Ｃ−Ｃに向かって折り返され、その折り返された部分２３ａがホットメルト接着剤２４を介してトップシート５２に接合している。図１６の防漏堤４８は、底辺４８ａがバックシート５３に接合していて、中間辺４８ｂと頂辺４８ｃとが図１５と同様に仮想線の如く起立できるように折り畳まれている。防漏堤４８にはまた、その中間辺４８ｂに弾性部材５７ａがホットメルト接着剤（図示せず）を介して伸長状態で取り付けられており、頂辺４８ｃの縁に、弾性部材５７ｂがホットメルト接着剤（図示せず）を介して伸長状態で取り付けられている。セパレータ２０は、側縁部２３の他に、幅方向中心線Ｄ−Ｄ上の部分もホットメルト接着剤２４を介してトップシート５２に接合している。セパレータ２０の前端縁部２１と後端縁部２２とには、弾性部材２１ｂと２２ｂとが伸長状態で取り付けられている。セパレータ２０は、トップシート５２と協働して、前部開口３３と後部開口３４とを有する排泄物収容部３１を形成している。
【手続補正２】
【補正対象書類名】明細書
【補正対象項目名】００４１
【補正方法】変更
【補正の内容】
【００４１】
図１２の展開おむつ１ａにおいて前後胴周り域７，８を重ね合わせるとともにファスナ４６でこれら両胴周り域７，８を連結して得られるパンツ型おむつ１では、セパレータ２０もまた幅方向中心線Ｄ−Ｄに沿って折り重ねられた状態にある。このパンツ型おむつ１において、前後胴周り域７，８を前後方向へ離間させて、胴周り開口１１を図１１の如くに広げると、図１２では幅方向中心線Ｄ−Ｄに平行して延びていたセパレータ２０の前端縁部２１と後端縁部２２とが互いに接合している接合域２７，２８を中央にしてＶ字形を画くように変形する（図４参照）。その変形に伴って、前端縁部２１とトップシート５２とが画成している排泄物収容部３１の前部開口３３が自動的に開き、後端縁部２２とトップシート５２とが画成している排泄物収容部３１の後部開口３４も自動的に開く。さらにはまた、図１６に示されているように、セパレータ２０の側縁部２３が仮想線の矢印Ｑで示される方向へ動いて、防漏堤４８の中間辺４８ｂと頂辺４８ｃとを下方から押し上げるようにしてこれら両辺４８ｂ，４８ｃが仮想線の如く起立することを促進することができる。
【手続補正３】
【補正対象書類名】図面
【補正対象項目名】図１５
【補正方法】変更
【補正の内容】
【図１５】
2007296314.tif 000001
【手続補正４】
【補正対象書類名】図面
【補正対象項目名】図１６
【補正方法】変更
【補正の内容】
【図１６】
2007296314.tif 000002
【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
ソールプレートの主要な寸法に沿って方向付けられた第１の軸、及び第１の軸に垂直で且つソールプレートの主要でない寸法に沿って方向付けられた第２の軸を有し、ソールプレートは第１及び第２の軸に沿って左右対称であり、第１の軸に沿ってソールプレートの両端に配置された第１及び第２の先端を有するソールプレートと、水タンクと、ソールプレートの第１の軸に沿った方向に方向付けされ且つ整列された左右対称のハンドルと、第１の先端に近接して配置された第１のスチーム作動ボタン及び第１の噴射ノズルと、ソールプレートの第２の先端に近接して配置された第２のスチーム作動ボタン及び第２のスチーム噴射ノズルと、を備えるアイロンと、
ソールプレートと移動可能に電磁接続され、前記ソールプレートを加熱する電磁場を引き起こすようになっている電磁気発生器と、
を備え、
ソールプレートが前記発生器と電磁接続されるように配置される時に、ソールプレートが加熱され、
ソールプレートが前記発生器と電磁接続されないように配置される時に、ソールプレートが加熱されない、アイロン装置。
【請求項２】
前記電磁気発生器が、前記ソールプレートを解放可能に受けるように寸法付けられたドッキングポートを有するドッキングステーション内に保持される、請求項１に記載のアイロン装置。
【請求項３】
前記ソールプレートが前記アイロンに対して解放可能に取り付けられている、請求項１に記載のアイロン装置。
【請求項４】
突発的な通常スチームを供給するために前記ソールプレート上に位置されたスチーム穴のセットを更に備える、請求項１に記載のアイロン装置。
【請求項５】
前記電磁気発生器が高周波電磁石を備える、請求項１に記載のアイロン装置。
【請求項６】
アイロンがけ面を備え、前記電磁気発生器が、前記アイロンがけ面の下側に設置されている、請求項１に記載のアイロン装置。
【請求項７】
前記電磁気発生器が温度センサを備える、請求項１に記載のアイロン装置。
【請求項８】
前記電磁気発生器が、前記ソールプレートの温度を制御するようになっている温度センサに結合されたコントローラを備える、請求項１に記載のアイロン装置。
【請求項９】
前記電磁気発生器が、電源コード又は再充電可能なバッテリのうちの１つ以上を備える、請求項１に記載のアイロン装置。
【請求項１０】
前記アイロンがコードレスである、請求項１に記載のアイロン装置。
【請求項１１】
ドッキングステーションが取り付けられたアイロン台と、
ソールプレートの主要な寸法に沿って方向付けられた第１の軸、及び第１の軸に垂直で且つソールプレートの主要でない寸法に沿って方向付けられた第２の軸を有し、ソールプレートは第１及び第２の軸に沿って左右対称であり、第１の軸に沿ってソールプレートの両端に配置された第１及び第２の先端を有するソールプレートと、水タンクと、ソールプレートの第１の軸に沿った方向に方向付けされ且つ整列された左右対称のハンドルと、第１の先端に近接して配置された第１のスチーム作動ボタン及び第１の噴射ノズルと、ソールプレートの第２の先端に近接して配置された第２のスチーム作動ボタン及び第２のスチーム噴射ノズルと、を備えるアイロンと、
ソールプレートを受けるように寸法付けられたドッキングポートを有する前記ドッキングステーション内に保持され、且つ前記ソールプレートと移動可能に電磁接続された電磁気発生器と、
を備え、
ソールプレートが前記発生器と電磁接続されるように配置される時に、ソールプレートが加熱され、
ソールプレートが前記発生器と電磁接続されないように配置される時に、ソールプレートが加熱されない、
アイロンシステム。
【請求項１２】
前記ドッキングステーションが、前記アイロン台に対して解放可能に取り付けられている、請求項１１に記載のアイロンシステム。
【請求項１３】
前記電磁気発生器が、電源コード又は再充電可能なバッテリのうちの１つ以上を備える、請求項１１に記載のアイロンシステム。
【請求項１４】
アイロンがコードレスである、請求項１１に記載のアイロンシステム。
【請求項１５】
アイロンシステムを動作させる方法であって、
振動電磁場を発生させるステップと、
アイロンのソールプレートを電磁場に近接して配置するステップであって、アイロンは、ソールプレートの主要な寸法に沿って方向付けられた第１の軸、及び第１の軸に垂直で且つソールプレートの主要でない寸法に沿って方向付けられた第２の軸を有し、ソールプレートは第１及び第２の軸に沿って左右対称であり、第１の軸に沿ってソールプレートの両端に配置された第１及び第２の先端を有するソールプレートと、水タンクと、ソールプレートの第１の軸に沿った方向に方向付けされ且つ整列された左右対称のハンドルと、第１の先端に近接して配置された第１のスチーム作動ボタン及び第１の噴射ノズルと、ソールプレートの第２の先端に近接して配置された第２のスチーム作動ボタン及び第２のスチーム噴射ノズルとを備える、ステップと、
所望の温度に達するまでソールプレートに熱を誘発させるステップと、
前記電磁場と電磁接続した表面に沿って前記ソールプレートを動かすステップと、
を備える方法。
【請求項１６】
前記振動電磁場との前記電磁接続からソールプレートを取り除くステップを更に備える、請求項１５に記載の方法。
【手続補正書】
【提出日】平成21年3月16日(2009.3.16)
【手続補正１】
【補正対象書類名】明細書
【補正対象項目名】００２９
【補正方法】変更
【補正の内容】
【００２９】
レバー体２を立てた状態からこのレバー体２とベース１との間に通した帯状体Ｗは操作部２１の内面２１ｂ側からこの操作部２１に設けた前記スリット２１ｃを通じてこの操作部２１の外面２１ａ側に引き出される。このように帯状体Ｗを引き出した状態からレバー体２を寝かせることにより、帯状体Ｗを挟持部２２とベース１の基部１１との間で挟み付けこの帯状体Ｗへの留め付けをなすことができる。この留め付け状態はレバー体２を再び立てることで解除されるが、このときも帯状体Ｗが前記スリット２１ｃを通じて操作部２１の外面２１ａ側から外方に延び出しているようにできる。このとき、この帯状体Ｗにこのスリット２１ｃから抜け出す向きの力が、またはバックルにこの帯状体Ｗをこのスリット２１ｃから抜け出させる向きの力が、あるいは、帯状体Ｗとバックルの双方にこうした力が作用されている場合、この帯状体Ｗには挟持部２２の突き出し端２２ａとスリット２１ｃにおける操作部２１の内面２１ｂ側の縁部２１ｄとスリット２１ｃにおける操作部２１の外面２１ａ側の縁部２１ｅとが接する。（図１４）この結果、レバー体２が図１４に示されるように立てられたときにこうした力が帯状体Ｗなどに作用された場合、レバー体２にはこれを寝かせる向きの力が作用され、この力の作用によりレバー体２は寝かせる位置に向けて少なくとも所定の角度分回動される。このようにレバー体２が回動されると挟持部２２の突き出し端２２ａとベース１の基部１１との間での帯状体Ｗの挟み付けがなされることとなる。これにより、レバー体２とベース１との間から帯状体Ｗの抜け出しが阻止され、帯状体Ｗとバックルを予期せず分離させてしまうことがない。また、スリット２１ｃから引き出されている帯状体Ｗを把持しこの引き出し部分Ｗａをベース１の基部１１に近づける向きに移動操作することにより、片手でレバー体２を寝かせる位置まで回動させて帯状体Ｗへの留め付け状態をワンタッチで作り出すこともできる。
【手続補正書】
【提出日】平成21年1月20日(2009.1.20)
【手続補正１】
【補正対象書類名】特許請求の範囲
【補正対象項目名】請求項１
【補正方法】変更
【補正の内容】
【請求項１】
板状部材の外周からはみ出る大きさのシートを前記板状部材に貼付した後に、カッター刃を介して前記シートを板状部材の形状に合わせて切断するシート切断方法において、
前記板状部材の外周に沿ってカッター刃を相対移動させて前記板状部材の形状に合わせて前記シートを切断する軌跡を正規軌跡とし、
前記正規軌跡よりも外側に離れた位置を切断開始位置として前記シートにカッター刃を差し込む第１の工程と、
前記シートにカッター刃を差し込んだまま前記正規軌跡に次第に近づくようにカッター刃を相対移動させてシートを切断する第２の工程と、
前記カッター刃が正規軌跡上に位置した状態でカッター刃を相対移動させて前記シートを前記板状部材の形状に合わせて切断する第３の工程とからなることを特徴とするシート切断方法。
【手続補正２】
【補正対象書類名】明細書
【補正対象項目名】０００９
【補正方法】変更
【補正の内容】
【０００９】
前記目的を達成するため、本発明は、板状部材の外周からはみ出る大きさのシートを前記板状部材に貼付した後に、カッター刃を介して前記シートを板状部材の形状に合わせて切断するシート切断方法において、
前記板状部材の外周に沿ってカッター刃を相対移動させて前記板状部材の形状に合わせて前記シートを切断する軌跡を正規軌跡とし、
前記正規軌跡よりも外側に離れた位置を切断開始位置として前記シートにカッター刃を差し込む第１の工程と、
前記シートにカッター刃を差し込んだまま前記正規軌跡に次第に近づくようにカッター刃を相対移動させてシートを切断する第２の工程と、
前記カッター刃が正規軌跡上に位置した状態でカッター刃を相対移動させて前記シートを前記板状部材の形状に合わせて切断する第３の工程とを備える、という方法を採っている。
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域、及び該遊技領域内で前後方向に視認可能な透過部を有する遊技盤と、
前記遊技盤の前記遊技領域内に配置される始動口と、
前記始動口への遊技媒体の受入れに基づいて所定の抽選を行う抽選手段と、
前記抽選手段による抽選結果に応じて遊技媒体の受入れが可能となり、前記遊技領域内で前記始動口とは異なる位置に配置された受入口と、
前記受入口に受入れられた遊技媒体を検出する受入検出手段と、
少なくとも前記受入検出手段による遊技媒体の検出、及び前記抽選手段による前記抽選結果に応じて所定の特典を付与する特典付与手段と、
複数の外周の辺のうち一の辺に配置された着脱係止部、及び該着脱係止部が配置された前記一の辺と向かい合う辺に配置された着脱突起とを有し、少なくとも前記抽選手段による前記抽選結果に応じて所定の演出画像が表示されうる演出表示手段と、
前記演出表示手段の前記着脱係止部と対応する位置に配置され該着脱係止部を着脱自在に保持する着脱機構、及び前記演出表示手段の着脱突起と対応する位置に配置され該着脱突起を収容可能とし後方に開放された着脱溝を有し、前記演出表示手段を前記遊技盤の前記透過部を通して遊技者から視認可能となるように前記遊技盤の後側に支持する枠状の支持部材と、
前記支持部材の後側に後方から固定され、前記着脱溝内に収容された前記演出表示手段の着脱突起が後方へ移動するのを防止し、識別可能に着色された固定部材と
を備えることを特徴とする遊技機。
【請求項２】
前記着脱機構は、
前記演出表示手段の前記着脱係止部を後方から収容可能な開放部と、
前記開放部内に収容された前記着脱係止部が後方に移動するのを防止する装着位置と前記着脱係止部が前記開放部内外へ脱着可能となる開放位置との間でスライド可能な着脱レバーと
を備える請求項１に記載の遊技機。
【請求項３】
前記着脱突起は、前記演出表示手段の前記一の辺と向かい合う辺に複数配置されているとともに、
前記着脱溝は、前記複数の着脱突起のそれぞれと対応する位置に複数配置されている
請求項１または２に記載の遊技機。
【手続補正２】
【補正対象書類名】明細書
【補正対象項目名】０００７
【補正方法】変更
【補正の内容】
【０００７】
手段１：遊技機において、
「遊技者の操作によって遊技媒体が打ち込まれる遊技領域、及び該遊技領域内で前後方向に視認可能な透過部を有する遊技盤と、
前記遊技盤の前記遊技領域内に配置される始動口と、
前記始動口への遊技媒体の受入れに基づいて所定の抽選を行う抽選手段と、
前記抽選手段による抽選結果に応じて遊技媒体の受入れが可能となり、前記遊技領域内で前記始動口とは異なる位置に配置された受入口と、
前記受入口に受入れられた遊技媒体を検出する受入検出手段と、
少なくとも前記受入検出手段による遊技媒体の検出、及び前記抽選手段による前記抽選結果に応じて所定の特典を付与する特典付与手段と、
複数の外周の辺のうち一の辺に配置された着脱係止部、及び該着脱係止部が配置された前記一の辺と向かい合う辺に配置された着脱突起とを有し、少なくとも前記抽選手段による前記抽選結果に応じて所定の演出画像が表示されうる演出表示手段と、
前記演出表示手段の前記着脱係止部と対応する位置に配置され該着脱係止部を着脱自在に保持する着脱機構、及び前記演出表示手段の着脱突起と対応する位置に配置され該着脱突起を収容可能とし後方に開放された着脱溝を有し、前記演出表示手段を前記遊技盤の前記透過部を通して遊技者から視認可能となるように前記遊技盤の後側に支持する枠状の支持部材と、
前記支持部材の後側に後方から固定され、前記着脱溝内に収容された前記演出表示手段の着脱突起が後方へ移動するのを防止し、識別可能に着色された固定部材と
を備える」ものであることを特徴とする。
【手続補正３】
【補正対象書類名】明細書
【補正対象項目名】００１９
【補正方法】変更
【補正の内容】
【００１９】
手段１の構成によると、遊技領域及び前後方向に視認可能な透過部を有する遊技盤と、遊技領域内に配置された始動口と、始動口への遊技媒体の受入れに基づいて抽選を行う抽選手段と、抽選手段の抽選結果に応じて遊技媒体の受入れが可能となる受入口と、受入口に受入れられた遊技媒体を検出する受入検出手段と、抽選結果や受入検出手段の検出に基づいて所定の特典を付与する特典付与手段と、複数の外周の辺のうち一の辺に配置された着脱係止部、及び該着脱係止部が配置された前記一の辺と向かい合う辺に配置された着脱突起とを有し抽選結果に応じて所定の演出画像が表示されうる演出表示手段と、着脱係止部と対応する位置に着脱係止部を後方から着脱自在に保持する着脱機構と、及び着脱突起と対応する位置に配置され着脱突起を収容可能な後方に開放された着脱溝とを有し演出表示手段を透過部を通して視認可能となるように遊技盤に支持する枠状の支持部材と、支持部材の後側に後方から固定され着脱溝に収容された着脱突起が移動するのを防止し識別可能に着色された固定部材とを備えたものである。
【手続補正４】
【補正対象書類名】明細書
【補正対象項目名】００２３
【補正方法】変更
【補正の内容】
【００２３】
なお、枠状の支持部材に、演出表示手段の他に、特別役物や特別役物移動手段等も支持
するようにしても良く、支持部材によってそれらを所定位置に支持した上で遊技盤に固定
することができると共に、それらをユニット化して組立作業などを簡略化させることがで
きる。
また、着脱突起は、演出表示手段の一の辺と向かい合う辺に複数配置されているとともに、前記着脱溝は、前記複数の着脱突起のそれぞれと対応する位置に複数配置されていることが好ましい。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
遊技領域を特別入賞口が設けられる第１の遊技領域とその他の第２の遊技領域とに区画形成する役物と、前記第２の遊技領域に打ち込まれた遊技球の前記第１の遊技領域内への進入の確率が高くなるように動作可能な可動片と、前記第２の遊技領域に設けられる始動口と、予め定められた数値範囲内で更新される数である乱数が保持される乱数保持手段と、前記始動口に遊技球が受け入れられたとき、前記乱数保持手段により保持される乱数に基づいて前記可動片の動作契機となる当たりが少なくとも抽選結果に含まれる抽選処理を行う抽選手段と、前記抽選手段により前記可動片の動作契機となる当たりが抽選されることに基づいて前記可動片を駆動制御する駆動制御手段とを備え、前記第２の遊技領域に打ち込まれた遊技球が前記駆動制御手段による前記可動片の駆動制御を通じて前記第１の遊技領域内に進入し、該進入した遊技球が前記特別入賞口に受け入れられたとき、遊技者にとって有利な特別遊技を行う遊技機であって、
前記抽選手段による抽選結果には、前記特別遊技の実行契機となる大当たりが含まれており、
前記第２の遊技領域にて開閉動作する開閉部材と、
前記開閉部材による開閉動作を通じて前記第２の遊技領域にて開放される大入賞口と、
前記抽選手段により前記大当たりが抽選されることに基づいて前記開閉部材による開閉動作を通じた前記大入賞口の開放によって前記遊技者にとって有利な特別遊技を行う特別遊技実行手段と、を備え、
前記特別遊技実行手段は、
前記第２の遊技領域に打ち込まれた遊技球が前記駆動制御手段による前記可動片の駆動制御を通じて前記第１の遊技領域内に進入し、該進入した遊技球が前記特別入賞口に受け入れられたときも、前記開閉部材による開閉動作を通じた前記大入賞口の開放によって前記遊技者にとって有利な特別遊技を行うようにした
ことを特徴とする遊技機。
【請求項２】
前記抽選手段は、前記始動口に遊技球が受け入れられる都度、前記乱数保持手段により保持される乱数に基づいて前記可動片の動作態様をさらに抽選するものであり、前記駆動制御手段は、前記抽選手段により抽選された前記可動片の動作態様をもって前記可動片の駆動制御を行う請求項１に記載の遊技機。
【請求項３】
前記抽選手段は、前記可動片の動作態様として各々異なる動作態様を示す複数の動作態様情報が前記乱数保持手段により保持される乱数にそれぞれ対応して関連付けされるかたちで記憶される記憶手段を備え、この記憶手段に基づいて前記可動片の動作態様についての抽選処理を行うものである請求項２に記載の遊技機。
【手続補正２】
【補正対象書類名】明細書
【補正対象項目名】０００７
【補正方法】変更
【補正の内容】
【０００７】
こうした目的を達成するため、請求項１に記載の発明では、遊技領域を特別入賞口が設けられる第１の遊技領域とその他の第２の遊技領域とに区画形成する役物と、前記第２の遊技領域に打ち込まれた遊技球の前記第１の遊技領域内への進入の確率が高くなるように動作可能な可動片と、前記第２の遊技領域に設けられる始動口と、予め定められた数値範囲内で更新される数である乱数が保持される乱数保持手段と、前記始動口に遊技球が受け入れられるとき、前記乱数保持手段により保持される乱数に基づいて前記可動片の動作契機となる当たりが少なくとも抽選結果に含まれる抽選処理を行う抽選手段と、前記抽選手段により前記可動片の動作契機となる当たりが抽選されることに基づいて前記可動片を駆動制御する駆動制御手段とを備え、前記第２の遊技領域に打ち込まれた遊技球が前記駆動制御手段による前記可動片の駆動制御を通じて前記第１の遊技領域内に進入し、該進入した遊技球が前記特別入賞口に受け入れられるとき、遊技者にとって有利な特別遊技を行う遊技機にあって、前記抽選手段による抽選結果には、前記特別遊技の実行契機となる大当たりが含まれており、前記第２の遊技領域にて開閉動作する開閉部材と、前記開閉部材による開閉動作を通じて前記第２の遊技領域にて開放される大入賞口と、前記抽選手段により前記大当たりが抽選されることに基づいて前記開閉部材による開閉動作を通じた前記大入賞口の開放によって前記遊技者にとって有利な特別遊技を行う特別遊技実行手段と、を備え、前記第２の遊技領域に打ち込まれた遊技球が前記駆動制御手段による前記可動片の駆動制御を通じて前記第１の遊技領域内に進入し、該進入した遊技球が前記特別入賞口に受け入れられるときも、前記開閉部材による開閉動作を通じた前記大入賞口の開放によって前記遊技者にとって有利な特別遊技を行うようにしたことを要旨とする。
また、請求項２に記載の発明では、請求項１に記載の遊技機において、前記抽選手段は、前記始動口に遊技球が受け入れられる都度、前記乱数保持手段により保持される乱数に基づいて前記可動片の動作態様をさらに抽選するものであり、前記駆動制御手段は、前記抽選手段により抽選された前記可動片の動作態様をもって前記可動片の駆動制御を行うことを要旨とする。
また、請求項３に記載の発明では、請求項２に記載の遊技機において、前記抽選手段は、前記可動片の動作態様として各々異なる動作態様を示す複数の動作態様情報が前記乱数保持手段により保持される乱数にそれぞれ対応して関連付けされるかたちで記憶される記憶手段を備え、この記憶手段に基づいて前記可動片の動作態様についての抽選処理を行うものであることを要旨とする。
なお、上記特別遊技とは、いわゆる大当たり遊技のことであり、より具体的には当該特別遊技が行われない状態にあるときよりも遊技者が多くの賞球を獲得可能な遊技のことをいう。この特別遊技は通常、上記開閉部材が一定パターンで開閉される遊技をラウンド遊技とするとき、このラウンド遊技が例えば「１」〜「１６」などの任意の回数だけ繰り返し実行されることによって行われる。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
遊技領域を特別入賞口が設けられる第１の遊技領域とその他の第２の遊技領域とに区画形成する役物と、前記第２の遊技領域に打ち込まれた遊技球の前記第１の遊技領域内への進入の確率が高くなるように動作可能な可動片と、前記第２の遊技領域に設けられる始動口に遊技球が受け入れられることに基づいて所定の表示部に表示される特別図柄についての変動表示制御を行うとともに、該変動表示制御に際しては、当該変動表示制御を一旦保留の状態とする変動表示制御手段と、前記保留の状態が解除されることによって行われる前記変動表示制御の結果が前記可動片の動作契機となる小当たりの当選を示すものであるとき、当該変動表示制御に要する変動時間の経過をもって前記可動片の駆動制御を行う駆動制御手段とを備え、前記第２の遊技領域に打ち込まれた遊技球が前記駆動制御手段による前記可動片の駆動制御を通じて前記第１の遊技領域内に進入し、該進入した遊技球が前記特別入賞口に受け入れられるとき、遊技者にとって有利な特別遊技を行う遊技機であって、
前記駆動制御手段は、前記可動片の駆動制御を行うにあたり、当該駆動制御が行われるタイミングを報知するものであり、
前記保留の状態にある変動表示制御の数である保留数がその最小保留数であるときに前記保留の状態が解除されることによって行われる変動表示制御に要する変動時間をＡ、前記保留数がその最小保留数を除くいくつかの保留数であるときに前記保留の状態が解除されることによって行われる変動表示制御に要する変動時間をＢとするとき、それら変動時間が、「Ａ＜Ｂ」なる関係に設定されてなる
ことを特徴とする遊技機。
【請求項２】
前記駆動制御手段による前記報知は、前記可動片の駆動制御が行われるタイミングよりも予め定められた時間だけ前から開始される
請求項１に記載の遊技機。
【請求項３】
遊技領域を特別入賞口が設けられる第１の遊技領域とその他の第２の遊技領域とに区画形成する役物と、前記第２の遊技領域に打ち込まれた遊技球の前記第１の遊技領域内への進入の確率が高くなるように動作可能な可動片と、前記第２の遊技領域に設けられる始動口に遊技球が受け入れられることに基づいて前記可動片の駆動制御を行うとともに、該駆動制御に際しては、当該駆動制御を一旦保留の状態とする駆動制御手段とを備え、前記第２の遊技領域に打ち込まれた遊技球が前記駆動制御手段による前記可動片の駆動制御を通じて前記第１の遊技領域内に進入し、該進入した遊技球が前記特別入賞口に受け入れられるとき、遊技者にとって有利な特別遊技を行う遊技機であって、
前記駆動制御手段は、前記可動片の駆動制御を行うにあたり、当該駆動制御が行われるタイミングを報知するものであり、
前記保留の状態にある駆動制御の数である保留数がその最小保留数であるときに前記保留の状態が解除されることによって行われる前記可動片の駆動制御についてその保留状態の解除から当該駆動制御が行われるまでの待機時間をＡ、前記保留数がその最小保留数を除くいくつかの保留数であるときに前記保留の状態が解除されることによって行われる前記可動片の駆動制御についてその保留状態の解除から当該駆動制御が行われるまでの待機時間をＢとするとき、それら待機時間が、「Ａ＜Ｂ」なる関係に設定されてなる
ことを特徴とする遊技機。
【手続補正２】
【補正対象書類名】明細書
【補正対象項目名】０００７
【補正方法】変更
【補正の内容】
【０００７】
こうした目的を達成するため、請求項１に記載の発明では、遊技領域を特別入賞口が設けられる第１の遊技領域とその他の第２の遊技領域とに区画形成する役物と、前記第２の遊技領域に打ち込まれた遊技球の前記第１の遊技領域内への進入の確率が高くなるように動作可能な可動片と、前記第２の遊技領域に設けられる始動口に遊技球が受け入れられることに基づいて所定の表示部に表示される特別図柄についての変動表示制御を行うとともに、該変動表示制御に際しては、当該変動表示制御を一旦保留の状態とする変動表示制御手段と、前記保留の状態が解除されることによって行われる前記変動表示制御の結果が前記可動片の動作契機となる小当たりの当選を示すものであるとき、当該変動表示制御に要する変動時間の経過をもって前記可動片の駆動制御を行う駆動制御手段とを備え、前記第２の遊技領域に打ち込まれた遊技球が前記駆動制御手段による前記可動片の駆動制御を通じて前記第１の遊技領域内に進入し、該進入した遊技球が前記特別入賞口に受け入れられるとき、遊技者にとって有利な特別遊技を行う遊技機にあって、前記駆動制御手段を、前記可動片の駆動制御を行うにあたり、当該駆動制御が行われるタイミングを報知するものとした上で、前記保留の状態にある変動表示制御の数である保留数がその最小保留数であるときに前記保留の状態が解除されることによって行われる変動表示制御に要する変動時間をＡ、前記保留数がその最小保留数を除くいくつかの保留数であるときに前記保留の状態が解除されることによって行われる変動表示制御に要する変動時間をＢとするとき、それら変動時間を、「Ａ＜Ｂ」なる関係に設定することを要旨とする。
また、請求項２に記載の発明では、請求項１に記載の遊技機において、前記駆動制御手段による前記報知は、前記可動片の駆動制御が行われるタイミングよりも予め定められた時間だけ前から開始されることを要旨とする。
他方、上述の目的を達成するため、請求項３に記載の発明では、遊技領域を特別入賞口が設けられる第１の遊技領域とその他の第２の遊技領域とに区画形成する役物と、前記第２の遊技領域に打ち込まれた遊技球の前記第１の遊技領域内への進入の確率が高くなるように動作可能な可動片と、前記第２の遊技領域に設けられる始動口に遊技球が受け入れられることに基づいて前記可動片の駆動制御を行うとともに、該駆動制御に際しては、当該駆動制御を一旦保留の状態とする駆動制御手段とを備え、前記第２の遊技領域に打ち込まれた遊技球が前記駆動制御手段による前記可動片の駆動制御を通じて前記第１の遊技領域内に進入し、該進入した遊技球が前記特別入賞口に受け入れられるとき、遊技者にとって有利な特別遊技を行う遊技機であって、前記駆動制御手段は、前記可動片の駆動制御を行うにあたり、当該駆動制御が行われるタイミングを報知するものであり、前記保留の状態にある駆動制御の数である保留数がその最小保留数であるときに前記保留の状態が解除されることによって行われる前記可動片の駆動制御についてその保留状態の解除から当該駆動制御が行われるまでの待機時間をＡ、前記保留数がその最小保留数を除くいくつかの保留数であるときに前記保留の状態が解除されることによって行われる前記可動片の駆動制御についてその保留状態の解除から当該駆動制御が行われるまでの待機時間をＢとするとき、それら待機時間が、「Ａ＜Ｂ」なる関係に設定されてなることを要旨とする。
なお、上記特別遊技とは、いわゆる大当たり遊技のことであり、より具体的には当該特別遊技が行われない状態にあるときよりも遊技者が多くの賞球を獲得可能な遊技のことをいう。この特別遊技は通常、上記開閉部材が一定パターンで開閉される遊技をラウンド遊技とするとき、このラウンド遊技が例えば「１」〜「１５」の任意の回数だけ繰り返し実行されることによって行われる。
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向について最下流側に形成され、前記遊技領域に打ち込まれた遊技球を排出する排出口と、
前記遊技領域を流下する遊技球を対象として一球ずつ受け入れ可能な複数の受入口と、
一または複数の図柄を表示可能な図柄表示手段と、
前記複数の受入口へ遊技球が受け入れられたことを検出する受入検出手段、
少なくとも前記複数の受入口のうちの１つである特定の受入口へ遊技球が受け入れられたことを検出する特定受入検出手段、
前記特定受入検出手段による遊技球の検出に基いて抽選を行う抽選手段、
前記抽選手段による抽選または／および抽選結果の導出を保留する保留手段、
前記保留手段によって保留された順番に前記図柄表示手段に表示される一または複数の図柄の変動表示を行い、前記抽選手段による抽選結果を一つずつ導出する図柄表示制御手段、および
前記抽選手段による抽選に当選したことに応じて、遊技者に所定の遊技価値を付与可能となる大当たり遊技を実行する大当たり遊技実行手段、を少なくとも有する遊技制御手段と、を備えた遊技機であって、
前記遊技機は、
所定の演出を表示可能な演出表示手段をさらに備えると共に、
前記遊技制御手段は、
前記所定の演出としての特別演出遊技態様を前記演出表示手段に表示する演出表示制御手段、をさらに有しており、
前記特別演出遊技態様には、
特定条件の成立に基づいて、前記特別演出遊技態様の導出進捗状況が所定の達成上限に近づく態様で蓄積表示される蓄積表示態様と、
前記所定の達成上限まで前記導出進捗状況が蓄積表示されたときに前記蓄積表示態様とは異なる特有の表示となる蓄積特典態様と、が含まれており、
前記複数の受入口には前記特定の受入口とは異なる演出用受入口が含まれており、
前記特定条件は、前記演出用受入口への遊技球の検出に応じて成立する条件であって、
前記演出用受入口は、前記特別演出遊技態様の導出進捗状況が前記演出表示制御手段によって所定の達成上限に近づく態様で蓄積表示される特別演出用受入口である
ことを特徴とする遊技機。
【請求項２】
前記遊技制御手段は、
前記特別演出用受入口へ遊技球が受け入れられたことを検出する特別演出受入検出手段、
前記特別演出受入検出手段による遊技球の検出に基いて抽選を行う第二の抽選手段、
前記第二の抽選手段による抽選または／および抽選結果の導出を保留する第二の保留手段、
前記第二の保留手段によって保留された順番に前記図柄表示手段に表示される一または複数の図柄の変動表示を行い、前記第二の抽選手段による抽選結果を一つずつ導出する第二の図柄表示制御手段、をさらに有しており、
前記大当たり遊技実行手段は、前記第二の抽選手段による抽選に当選した場合であっても、当該第二の抽選手段による抽選に当選したことに応じて前記大当たり遊技を実行する
ことを特徴とする請求項１に記載の遊技機。
【請求項３】
前記遊技球の流下方向について前記特定の受入口よりも上流側に設けられ、前記遊技領域を流下する複数の遊技球のうち、一部の遊技球のみを、前記排出口に向かう方向とは異なる特定の方向に受け入れる流下球特定受入手段をさらに備え、
前記特別演出用受入口は、前記流下球特定受入手段によって前記特定の方向に受け入れた遊技球のみを対象として一球ずつ受け入れ可能とすることによって、前記特定の受入口よりも遊技球の受け入れ頻度が少なくなるように構成されている
ことを特徴とする請求項１または２に記載の遊技機。
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向について最下流側に形成され、前記遊技領域に打ち込まれた遊技球を排出する排出口と、
前記排出口に向けて流下する遊技球の流下態様を不規則に変化させる流下態様変化手段と、
前記遊技領域を流下する複数の遊技球を対象として前記流下態様変化手段によって一球ずつ受け入れ可能な第一受入口と、
一または複数の図柄を表示可能な第一図柄表示手段と、
前記第一受入口に遊技球が受け入れられたことを検出する第一受入検出手段、
前記第一受入検出手段による遊技球の検出に基づいて抽選を行う第一抽選手段、
前記第一抽選手段による抽選または／および抽選結果の導出を保留する第一保留手段、
前記第一保留手段によって保留された順番に前記第一図柄表示手段に表示される一または複数の図柄の変動表示を行い、前記第一抽選手段による抽選結果を一つずつ導出する第一図柄表示制御手段、および
前記第一抽選手段による抽選に当選したことに応じて、遊技者に所定の遊技価値を付与可能となる大当たり遊技を実行する大当たり遊技実行手段、
を少なくとも有する遊技制御手段と、を備える遊技機であって、
前記遊技機は、
前記第一受入口よりも、前記遊技領域に打ち込まれた遊技球の受け入れ頻度が少ない第二受入口と、
一または複数の図柄を表示可能な第二図柄表示手段と、
所定の演出を表示可能な演出表示手段と、をさらに備えると共に、
前記遊技制御手段は、
前記第二受入口に遊技球が受け入れられたことを検出する第二受入検出手段、
前記第二受入検出手段による遊技球の検出に基づいて抽選を行う第二抽選手段、
前記第二抽選手段による抽選または／および抽選結果の導出を保留する第二保留手段、
前記第二保留手段によって保留された順番に前記第二図柄表示手段に表示される一または複数の図柄の変動表示を行い、前記第二抽選手段による抽選結果を一つずつ導出する第二図柄表示制御手段、および
前記所定の演出としての特別演出遊技態様を前記演出表示手段に表示する演出表示制御手段、をさらに有しており、
前記特別演出遊技態様には、
当該特別演出遊技態様の導出進捗状況を、所定の達成上限まで蓄積表示する蓄積表示態様と、
前記所定の達成上限まで前記導出進捗状況が蓄積表示されたときに前記蓄積表示態様とは異なる特有の表示となる蓄積特典態様と、が含まれており、
前記導出進捗状況が前記所定の達成上限に至ることを条件に、前記演出表示制御手段は、
前記蓄積表示態様による導出進捗状況が前記所定の達成上限に至るに際し、当該導出進捗状況を示す導出進捗値が前記所定の達成上限に至ったことを前記蓄積表示態様により表示する一方、
前記導出進捗値が前記所定の達成上限に至る契機となった前記第二保留手段による保留に基づいて前記一または複数の図柄の変動表示が行われるに際し、前記蓄積特典態様を表示す
ることを特徴とする遊技機。
【請求項２】
前記遊技制御手段は、前記導出進捗状況が前記所定の達成上限に至ったとき、当該所定の達成上限に至る契機となった前記第二保留手段による保留を含めた前記第二保留手段による保留数を演出保留カウント値として記憶すると共に、前記第二保留手段による保留に基づいて前記一または複数の図柄の変動表示が行われる毎に前記演出保留カウント値を１ずつ減算する演出保留カウント手段、をさらに有しており、
前記演出表示制御手段は、前記演出保留カウント手段による演出保留カウント値が１になったことに基づいて、前記蓄積特典態様を表示することを特徴とする。
ことを特徴とする請求項１に記載の遊技機。
【請求項３】
前記導出進捗値が前記所定の達成上限に至るための条件として、前記第二受入口に遊技球が受け入れられたことに基づいて成立する第一の特定条件と、前記第一の特定条件とは別に、前記導出進捗値が所定の閾値以上であって且つ前記第一図柄表示制御手段または前記第二図柄表示制御手段によって特定の変動表示が表示されることに基づいて成立する第二の特定条件とがあり、
前記演出表示制御手段は、
前記第一の特定条件にかかる前記受入口に遊技球が受け入れられたときに、前記導出進捗値が前記所定の達成上限に近づく態様で、前記蓄積表示態様を表示する一方、
前記第一の特定条件よりも成立し難い前記第二の特定条件にかかる前記第一図柄表示制御手段または前記第二図柄表示制御手段によって特定の変動表示を前記第一図柄表示手段または前記第二図柄表示手段において表示するときに、前記導出進捗値が前記所定の達成上限に近づく態様で、前記蓄積表示態様を表示する
ことを特徴とする請求項１または２に記載の遊技機。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
遊技領域を特別入賞口が設けられる第１の遊技領域とその他の第２の遊技領域とに区画形成する役物と、前記第２の遊技領域に打ち込まれた遊技球の前記第１の遊技領域内への進入の確率が高くなるように動作可能な可動片と、前記第２の遊技領域に設けられる始動口と、前記始動口に遊技球が受け入れられることに基づいて前記可動片を駆動制御する駆動制御手段とを備え、前記第２の遊技領域に打ち込まれた遊技球が前記可動片による動作を通じて前記第１の遊技領域内に進入し、該進入した遊技球が前記特別入賞口に受け入れられたとき、遊技者にとって有利な特別遊技を行う遊技機であって、
前記駆動制御手段は、
予め定められた数値範囲内で更新される数である乱数が保持される乱数保持手段と、
前記可動片の駆動制御に際し、前記乱数保持手段にて保持される乱数に基づいて前記可動片の動作タイミングについての抽選処理を行う抽選手段と、を備え、
前記抽選手段により抽選される動作タイミングに基づいて前記可動片の駆動制御を行う
ことを特徴とする遊技機。
【請求項２】
請求項１に記載の遊技機において、
所定の表示部に表示される特別図柄を所定の時間だけ変動表示制御する変動表示制御手段をさらに備え、前記抽選手段は、前記変動表示制御に要する前記所定の時間についての抽選処理を行うものであり、前記駆動制御手段は、前記変動表示制御が開始されてからの経過時間を計時する計時手段を備えるとともに、この計時手段によって計時される時間が前記抽選された所定の時間を経過することを条件に前記可動片の駆動制御を行うものである
ことを特徴とする遊技機。
【請求項３】
前記抽選手段は、前記変動表示制御に要する前記所定の時間として各々異なる時間を示す複数の変動時間情報が、
ａ．前記乱数保持手段にて保持される乱数
にそれぞれ対応して関連付けされるかたちで記憶される記憶手段を備え、該記憶手段に基づいて前記変動表示制御に要する前記所定の時間についての抽選処理を行う
請求項２に記載の遊技機。
【手続補正２】
【補正対象書類名】明細書
【補正対象項目名】０００８
【補正方法】変更
【補正の内容】
【０００８】
こうした目的を達成するため、請求項１に記載の発明では、遊技領域を特別入賞口が設けられる第１の遊技領域とその他の第２の遊技領域とに区画形成する役物と、前記第２の遊技領域に打ち込まれた遊技球の前記第１の遊技領域内への進入の確率が高くなるように動作可能な可動片と、前記第２の遊技領域に設けられる始動口と、前記始動口に遊技球が受け入れられることに基づいて前記可動片を駆動制御する駆動制御手段とを備え、前記第２の遊技領域に打ち込まれた遊技球が前記可動片による動作を通じて前記第１の遊技領域内に進入し、該進入した遊技球が前記特別入賞口に受け入れられたとき、遊技者にとって有利な特別遊技を行う遊技機にあって、前記駆動制御手段が、予め定められた数値範囲内で更新される数である乱数が保持される乱数保持手段と、前記可動片の駆動制御に際し、前記乱数保持手段にて保持される乱数に基づいて前記可動片の動作タイミングについての抽選処理を行う抽選手段と、を備え、前記抽選手段により抽選される動作タイミングに基づいて前記可動片の駆動制御を行うことを要旨とする。
また、請求項２に記載の発明では、請求項１に記載の遊技機において、所定の表示部に表示される特別図柄を所定の時間だけ変動表示制御する変動表示制御手段をさらに備え、前記抽選手段は、前記変動表示制御に要する前記所定の時間についての抽選処理を行うものであり、前記駆動制御手段は、前記変動表示制御が開始されてからの経過時間を計時する計時手段を備えるとともに、この計時手段によって計時される時間が前記抽選された所定の時間を経過することを条件に前記可動片の駆動制御を行うものであることを要旨とする遊技機。
また、請求項３に記載の発明では、請求項２に記載の遊技機において、前記抽選手段は、前記変動表示制御に要する前記所定の時間として各々異なる時間を示す複数の変動時間情報が、ａ．前記乱数保持手段にて保持される乱数にそれぞれ対応して関連付けされるかたちで記憶される記憶手段を備え、該記憶手段に基づいて前記変動表示制御に要する前記所定の時間についての抽選処理を行うことを要旨とする。
なお、上記特別遊技とは、いわゆる大当たり遊技のことであり、より具体的には当該特別遊技が行われない状態にあるときよりも遊技者が多くの賞球を獲得可能な遊技のことをいう。この特別遊技は通常、上記開閉部材が一定パターンで開閉される遊技をラウンド遊技とするとき、このラウンド遊技が例えば「１」〜「１６」などの任意の回数だけ繰り返し実行されることによって行われる。